(57)【要約】      （修正有）【課題】ロック状態より解除が容易であり、かつ、保護機能を損なわない簡易ロック状態を提供する。【解決手段】検出部は、操作者の接触操作の位置を検出する接触領域を備えている。記憶部２４は、ユーザによって特定された前記接触領域の一部の特定領域を示す情報を記憶している。制御部１４は、解除する場合の負荷がロック状態より軽減された簡易ロック状態において、前記検出部で検出された前記接触領域に対する操作者の接触操作の位置が前記記憶部２４に情報が記憶された前記特定領域に含まれる場合に、前記簡易ロック状態を解除する。また、制御部１４は、予め設定された設定条件を満たした状態で前記特定領域に対する操作者の接触操作が検出されなかった場合に、前記簡易ロック状態から前記ロック状態に移行するように制御する。【選択図】図１
2015106301.tif 000002
【特許請求の範囲】
【請求項１】
操作者の接触操作の位置を検出する接触領域を備え、ユーザによって特定された前記接触領域の一部の特定領域を示す情報が記憶部に記憶された検出部と、
解除する場合の負荷がロック状態より軽減された簡易ロック状態において、前記検出部で検出された前記接触領域に対する操作者の接触操作の位置が前記記憶部に情報が記憶された前記特定領域に含まれる場合に、前記簡易ロック状態を解除し、予め設定された設定条件を満たした状態で前記特定領域に対する操作者の接触操作が検出されなかった場合に、前記簡易ロック状態から前記ロック状態に移行するように制御する制御部と、
を含む電子機器。
【請求項２】
前記設定条件は、前記簡易ロック状態の開始からの経過時間が所定時間以上、または前記接触領域の前記特定領域を含む領域以外の領域に対する接触操作の回数が所定回数以上である請求項１に記載の電子機器。
【請求項３】
前記特定領域を含む領域以外の領域は、前記特定領域以外の領域、または前記特定領域及び前記特定領域に隣接しかつ前記特定領域を囲む領域以外の領域である請求項１または請求項２に記載の電子機器。
【請求項４】
解除する場合の負荷がロック状態より軽減された電子機器の簡易ロック状態において、
操作者の接触操作の位置を検出する接触領域を備え、ユーザによって特定された前記接触領域の一部の特定領域を示す情報が記憶部に記憶された検出部で検出された前記接触領域に対する操作者の接触操作の位置が前記記憶部に情報が記憶された前記特定領域に含まれる場合に、前記簡易ロック状態を解除し、
予め設定された設定条件を満たした状態で前記特定領域に対する操作者の接触操作が検出されなかった場合に、前記簡易ロック状態から前記ロック状態に移行するように制御する、
簡易ロック状態制御方法。
【請求項５】
コンピュータに、
解除する場合の負荷がロック状態より軽減された前記コンピュータの簡易ロック状態において、
操作者の接触操作の位置を検出する接触領域を備え、ユーザによって特定された前記接触領域の一部の特定領域を示す情報が記憶部に記憶された検出部で検出された前記接触領域に対する操作者の接触操作の位置が前記記憶部に情報が記憶された前記特定領域に含まれる場合に、前記簡易ロック状態を解除し、
予め設定された設定条件を満たした状態で前記特定領域に対する操作者の接触操作が検出されなかった場合に、前記簡易ロック状態から前記ロック状態に移行するように制御する、
ことを含む簡易ロック状態制御処理を実行させるためのプログラム。
【発明の詳細な説明】
【技術分野】
【０００１】
開示の技術は、電子機器、簡易ロック状態制御方法及びプログラムに関する。
【背景技術】
【０００２】
スマートフォン及びタブレットなど、タッチパネルディスプレイを備えた電子機器が普及している。一般的に、これらの電子機器は、当該電子機器に対して、所定の時間操作が行われない場合、ロック状態に移行するように設定することが可能である。ロック状態に移行すると、タッチパネルディスプレイもオフ状態に移行する。ロック状態において、ユーザによるタッチパネルディスプレイへの接触操作などを検出すると、タッチパネルディスプレイをオン状態として、ロック状態を解除するための入力をユーザに促す入力画面を表示する。ユーザが、予め登録されているパスワード、パスコードまたは、パターンなどを当該入力画面に入力したことを検出すると、ロック状態を解除する。
【０００３】
短時間でロック状態に移行するように設定すると、当該ロック状態を解除するために、パスワード、パスコードまたは、パターンなどを度々入力することとなり、ユーザの負荷が増加する。当該負荷を軽減するため、ロック状態に移行する設定を行わない、あるいは、ロック状態に移行するまでの時間を長く設定するユーザも多い。
【０００４】
一方、所定の時間操作が行われない場合、ロック状態に移行する前にスリープ状態に移行し、スリープ状態に移行してからさらに所定の時間操作が行われない場合、ロック状態に移行するような設定も普及している。スリープ状態の解除を所望する場合、ユーザはタッチパネルディスプレイに接触操作を行うだけでよい。
【先行技術文献】
【特許文献】
【０００５】
【特許文献１】特開２００９−２７２９９６号公報
【発明の概要】
【発明が解決しようとする課題】
【０００６】
スリープ状態の解除はロック状態の解除に比較して容易であるが、例えば、第三者による電子機器の操作を防ぐことは困難となる。
【０００７】
開示の技術は、１つの側面として、ロック状態と比較して解除の負荷が軽減され、かつ、保護機能を損なわない簡易ロック状態を提供する、ことが目的である。
【課題を解決するための手段】
【０００８】
開示の技術において、検出部は、操作者の接触操作の位置を検出する接触領域を備えている。記憶部には、ユーザによって特定された前記接触領域の一部の特定領域を示す情報が記憶されている。制御部は、解除する場合の負荷がロック状態より軽減された簡易ロック状態において、前記検出部で検出された前記接触領域に対する操作者の接触操作の位置が前記記憶部に情報が記憶された前記特定領域に含まれる場合に、前記簡易ロック状態を解除する。また、制御部は、予め設定された設定条件を満たした状態で前記特定領域に対する操作者の接触操作が検出されなかった場合に、前記簡易ロック状態から前記ロック状態に移行するように制御する。
【発明の効果】
【０００９】
開示の技術は、１つの側面として、ロック状態より解除の負荷が軽減され、かつ、保護機能を損なわない簡易ロック状態を提供することができる、という効果を有する。
【図面の簡単な説明】
【００１０】
【図１】実施形態に係るスマートデバイスの要部機能の一例を示すブロック図である。
【図２】実施形態に係るスマートデバイスの電気系の構成の一例を示すブロック図である。
【図３】実施形態に係る特定領域登録処理の流れの一例を示すフローチャートである。
【図４Ａ】実施形態に係る特定領域登録処理におけるディスプレイ表示の一例を示す態様図である。
【図４Ｂ】実施形態に係る特定領域登録処理におけるディスプレイ表示の一例を示す態様図である。
【図４Ｃ】実施形態に係る特定領域登録処理におけるディスプレイ表示の一例を示す態様図である。
【図４Ｄ】実施形態に係る特定領域登録処理におけるディスプレイ表示の一例を示す態様図である。
【図５】第１実施形態に係る簡易ロック状態制御処理の流れの一例を示すフローチャートである。
【図６】第１実施形態に係る特定領域の一例を示す態様図である。
【図７】第２実施形態に係る簡易ロック状態制御処理の流れの一例を示すフローチャートである。
【図８】第２実施形態に係る特定領域の一例を示す態様図である。
【図９】第３実施形態に係る簡易ロック状態制御処理の流れの一例を示すフローチャートである。
【図１０】第３実施形態に係る特定領域の一例を示す態様図である。
【発明を実施するための形態】
【００１１】
以下、図面を参照して開示の技術の実施形態の一例を詳細に説明する。なお、以下の説明では、開示の技術に係る電子機器の一例としてスマートデバイスを例に挙げて説明するが、開示の技術は、これに限定されるものではない。開示の技術は、例えば、パーソナルコンピュータ、ゲーム機、カーナビゲーション装置、携帯電話機、及びデジタルカメラなどの種々の電子機器に適用可能である。
【００１２】
［第１実施形態］
一例として図１に示すスマートデバイス１０は、保護状態制御部１２、登録制御部１８、タイマー２２、記憶部２４、表示及び検出制御部２６を有している。保護状態制御部１２は、簡易ロック状態制御部１４及びロック状態制御部１６を有する。簡易ロック状態制御部１４とロック状態制御部１６とは相互に接続されている。
【００１３】
簡易ロック状態制御部１４及びロック状態制御部の各々は、さらに、タイマー２２、記憶部２４、及び表示及び検出制御部２６と相互に接続されている。登録制御部１８は、記憶部２４及び表示及び検出制御部２６と相互に接続されている。
【００１４】
制御部である簡易ロック状態制御部１４は、スマートデバイス１０が簡易ロック状態に移行した場合の各種制御を行う。ロック状態制御部１６は、スマートデバイス１０がロック状態に移行した場合の各種制御を行う。
【００１５】
登録制御部１８は、簡易ロック状態を解除するための特定領域を記憶部２４に登録する制御を行う。表示及び検出制御部２６は、検出部により取得されるユーザによる操作を示す情報を各種処理に適用するよう制御し、各種情報を表示するよう表示部を制御する。タイマー２２は、例えば、簡易ロック状態に移行した時点からの経過時間を計測する。
【００１６】
スマートデバイス１０は、一例として図２に示すように、ＣＰＵ（Central Processing Unit）６０、一次記憶部６２、二次記憶部６４、タッチパネルディスプレイ７０、タイマー２２、外部インターフェイス６８を備えている。ＣＰＵ６０、一次記憶部６２、二次記憶部６４、タッチパネルディスプレイ７０、タイマー２２、及び外部インターフェイス６８は、バス８０を介して相互に接続されている。
【００１７】
タッチパネルディスプレイ７０は、表示部であるディスプレイ７２及び検出部であるタッチパネル７４を含み、ディスプレイ７２は各種情報を表示し、タッチパネル７４は操作者の操作を検出する。図４Ａ〜図４Ｄ、図６、図８、図１０に例示されるように、ディスプレイ７２及びタッチパネル７４が重畳されてタッチパネルディスプレイ７０を形成している。外部インターフェイス６８には、外部装置が接続され、外部装置とＣＰＵ６０との間の各種情報の送受信を司る。操作者とは、ユーザ、またはユーザ以外の第三者である。ユーザとは、スマートデバイス１０の所有者など、当該スマートデバイス１０に対して正当な権利を有するものである。
【００１８】
一次記憶部６２は、例えば、ＲＡＭ（Random Access Memory）などの揮発性のメモリである。二次記憶部６４は、例えば、ＨＤＤ（Hard Disk Drive）やＳＳＤ（Solid State Drive）などの不揮発性のメモリである。一次記憶部６２及び二次記憶部６４は、図１の記憶部２４として機能する。
【００１９】
二次記憶部６４は、一例として、簡易ロック状態制御プログラム６６Ａ、ロック状態制御プログラム６６Ｂ、登録制御プログラム６６Ｃ、及び簡易ロック状態解除テーブル６８を記憶している。ＣＰＵ６０は、二次記憶部６４から簡易ロック状態制御プログラム６６Ａ、ロック状態制御プログラム６６Ｂ及び登録制御プログラム６６Ｃを読み出して一次記憶部６２に展開する。ＣＰＵ６０は、簡易ロック状態制御プログラム６６Ａを実行することで、図１に示す簡易ロック状態制御部１４として動作する。また、ＣＰＵ６０は、ロック状態制御プログラム６６Ｂを実行することで、図１に示すロック状態制御部１６として動作する。また、ＣＰＵ６０は、登録制御プログラム６６Ｃを実行することで、図１に示す登録制御部１８として動作する。簡易ロック状態解除テーブル６８には、簡易ロック状態を解除するための特定領域が登録される。
【００２０】
（特定領域登録処理）
次に、開示の技術の実施形態の作用として、ＣＰＵ６０が登録制御プログラム６６Ｃを実行することで、スマートデバイス１０によって行われる特定領域登録処理について、図３を参照して説明する。
【００２１】
特定領域登録処理では、簡易ロック状態を解除するための特定領域を簡易ロック状態解除テーブル６８に登録する。
【００２２】
スマートデバイス１０は、ロック機能を備えている。スマートデバイス１０は、タッチパネルディスプレイ７０を有しており、例えば、簡易ロックが解除されずに、所定時間（例えば、１５秒）以上、ユーザによる操作がタッチパネル７４によって検出されない場合、ロック機能が作動し、ロック状態に移行する。ロック状態に移行すると、スマートデバイス１０は所定の操作以外の操作を受け付けず、ディスプレイ７２の電源をオフ状態に移行する。
【００２３】
ロック状態に移行した場合、ユーザは、予め登録されているパスワード、パスコードなどを入力することにより、ロック状態を解除する。パスワード、パスコードなどの入力を度々行うことは負荷が高いため、ロック状態に移行するまでの時間を長く（例えば、３０分）設定するユーザも存在する。
【００２４】
しかし、ロック状態に移行するまでの時間が長く設定されると、第三者による不当な操作を妨げる機能を十分に果たさない。一方、本開示の技術の簡易ロック状態は、ロック状態を解除するよりも軽減された負荷で解除することが可能である。例えば、所定時間（例えば、１５秒）以上、ユーザによる操作がタッチパネル７４によって検出されない場合、簡易ロック状態に移行すると、ロック状態と同様に、スマートデバイス１０は所定の操作以外の操作は受け付けない。また、ディスプレイ７２の電源をオフ状態とする。
【００２５】
簡易ロック状態に移行した場合、ユーザは、予め登録されているディスプレイ７２の特定領域内で接触操作することにより、簡易ロック状態を解除する。
【００２６】
特定領域を登録するために、一例として、図４Ａに例示するスマートデバイス１０のタッチパネルディスプレイ７０に表示されている「ＯＫ」ボタンがユーザによって接触操作されたこと、すなわち、タップされたことを検出したか否かをＣＰＵ６０が判定する。当該タップを検出すると、特定領域登録処理が開始され、ステップ２０２で、図４Ｂに例示するように、タッチパネルディスプレイ７０にグリッドを表示するよう制御する。グリッドの間隔は、例えば、１ｃｍであってよいが、本開示の技術はこれに限定されない。グリッドの間隔は、例えば、１．５ｃｍ、２ｃｍなど任意に設定されてよい。
【００２７】
ステップ２０４で、タッチパネルディスプレイ７０でユーザのタップを検出したか否かを判定する。ステップ２０４の判定が肯定されると、ステップ２０６でユーザのタップが所定時間（例えば、３秒間）以上移動せずにホールドされているか否かを判定する。ステップ２０６の判定が否定された場合、ステップ２０４に制御を戻す。
【００２８】
一方、ステップ２０６の判定が肯定された場合、ステップ２０８でユーザがタップしたタッチパネルディスプレイ７０上の位置の座標を取得する。
【００２９】
取得された座標が、例えば、領域ｃ０５内の座標である場合、ステップ２１０で、一例として図４Ｃに示すように、ディスプレイ７２にユーザがタップした領域ｃ０５をユーザに確認させるための確認画面を表示する。ステップ２１２で、ユーザが、タッチパネルディスプレイ７０に表示されている「登録」ボタンをタップしたか否かを判定する。ステップ２１２の判定が肯定された場合、ステップ２１４で、簡易ロック状態を解除するための特定領域として領域ｃ０５を示す情報を簡易ロック状態解除テーブル６８に登録する。その後、図４Ｄに一例を示すように特定領域が登録されたことを報知する画面をタッチパネルディスプレイ７０に表示する。
【００３０】
一方、ステップ２１２で判定が否定された場合、ステップ２１６で、ユーザが「キャンセル」ボタンをタップしたか否かを判定し、判定が肯定された場合、制御をステップ２０４に戻す。
【００３１】
ステップ２１６で判定が否定された場合、ステップ２１８で、ユーザが「中止」ボタンをタップしたか否かを判定し、判定が肯定された場合、特定領域登録処理を終了する。ステップ２１８で判定が否定された場合、制御をステップ２１２に戻す。
【００３２】
上記では、所定時間（例えば、１５秒）以上、ユーザによる操作がタッチパネル７４によって検出されない場合、簡易ロック機能が作動し、簡易ロック状態に移行する、としたが、本開示の技術はこれに限定されない。例えば、スマートデバイス１０は図示しないハードキーを有し、所定時間以上、ユーザによってハードキーが操作されない場合、簡易ロック状態に移行してもよい。
【００３３】
（簡易ロック状態制御処理）
ＣＰＵ６０が簡易ロック状態制御プログラム６６Ａを実行することで、スマートデバイス１０によって行われる簡易ロック状態制御処理について、図５を参照して説明する。
【００３４】
簡易ロック状態制御処理は、スマートデバイス１０が簡易ロック状態に移行した時点で開始される。詳細には、所定時間以上、ユーザによる操作がタッチパネルディスプレイ７０で検出されない場合、簡易ロック機能が作動し、簡易ロック状態に移行し、ディスプレイ７２をオフ状態に移行する。しかし、タッチパネル７４はオン状態のままとする。簡易ロック状態制御処理が開始されると、ステップ１５２で、特定領域以外の領域で接触操作であるユーザのタップが検出された回数を計数するための変数Ｃに「０」を設定する。
【００３５】
ステップ１５４で、タッチパネルディスプレイ７０でユーザのタップを検出したか否かを判定する。ステップ１５４の判定が否定された場合、ステップ１６８で、タイマー２２によって計測されている簡易ロック状態に移行した後の時間が所定時間（例えば、５分）を越えたか否かを判定する。ステップ１６８の判定が否定された場合、制御をステップ１５４に戻す。
【００３６】
ステップ１５４の判定が肯定された場合、ステップ１５６で、ユーザがタップした接触領域であるタッチパネルディスプレイ７０の位置の座標Ｐを取得する。
【００３７】
ステップ１５８で、座標Ｐが、一例として図６に示す簡易ロック状態を解除するための所定の領域として簡易ロック状態解除テーブル６８に登録されている領域ｃ０５の内部に含まれているか否かを判定する。判定が肯定された場合、ステップ１６０で簡易ロック状態を解除して通常状態に移行し、ディスプレイ７２の電源をオン状態に切り替えて、処理を終了する。なお、図６は、特定領域を例示する図であり、理解を容易にするため、グリッド及び特定領域として登録されている領域を表示している。しかしながら、簡易ロック状態ではディスプレイ７２はオフ状態であり、グリッドも表示されない。
【００３８】
一方、ステップ１５８で、判定が否定された場合、ステップ１６２で、変数Ｃを１増分する。ステップ１６４で、変数Ｃに含まれる値が予め設定した所定の回数Ｎより大きいか否か判定する。ステップ１６４の判定が否定されると、制御をステップ１５４に戻す。
【００３９】
一方、ステップ１６４で判定が肯定された場合、所定回数Ｎより多い回数、特定領域以外の領域がタップされた、ということであるため、ステップ１６６でロック状態に移行する。また、ステップ１６８で、判定が肯定された場合、すなわち、簡易ロック状態に移行した後、一度もタップされることなく所定時間（例えば、５分）が経過した場合も、ステップ１７０でロック状態に移行する。
【００４０】
本開示の技術では、予め記憶されている特定領域に対する接触操作を検出することにより、簡易ロック状態を解除することが可能である。したがって、ロック状態を解除する場合と比較して、簡易ロック状態を解除する操作に対するユーザの負荷は軽減されるが、特定領域を知らない第三者にとってはスリープ状態と比較して解除が困難である。本開示の技術によれば、ロック状態より解除の負荷が軽減され、かつ、保護機能を損なわない簡易ロック状態が提供されるため、ユーザによる保護機能の利用が促進される。比較的短い時間（例えば、１５秒）以上、ユーザによる操作がタッチパネル７４によって検出されない場合、簡易ロック状態に移行するように設定することへの障壁が低くなるためである。
【００４１】
さらに、本開示の技術では、簡易ロック状態に移行してから所定の時間が経過した場合、もしくは、所定の回数より多い回数、特定領域以外の領域に接触操作が行われた場合にはロック状態に移行する。これにより、保護機能を強化することが可能となる。
【００４２】
[第２実施形態]
第２実施形態では、上記第１実施形態で説明した構成要素については、同一の参照符号を付し、説明を省略する。
【００４３】
ＣＰＵ６０が簡易ロック状態制御プログラム６６Ａを実行することで、スマートデバイス１０によって行われる簡易ロック状態制御処理の第２実施形態について、図７を参照して説明する。
【００４４】
第２実施形態では、一例として図８に示すように、予め登録されている簡易ロック状態を解除するための特定領域ｃ０５を囲む領域ｂ０４、ｂ０５、ｂ０６、ｃ０４、ｃ０６、ｄ０４、ｄ０５、ｄ０６を準特定領域として設定する点が、第１実施形態と異なる。準特定領域でユーザのタップを検出しても、特定領域でユーザのタップが検出された場合のように、通常状態には移行しない。一方で、準特定領域でユーザのタップを検出しても、特定領域以外の領域をタップした回数として計数しない。
【００４５】
図７において図５と同一のステップは説明を省略する。図７のステップ１５４で、タッチパネルディスプレイ７０でユーザのタップを検出したか否かを判定し、判定が肯定された場合、ステップ１５６で、ユーザがタップしたタッチパネルディスプレイ７０の位置の座標Ｐを取得する。
【００４６】
ステップ１５８で、座標Ｐが、一例として図８に示す簡易ロック状態を解除するための所定の領域として簡易ロック状態解除テーブル６８に登録されている特定領域ｃ０５の内部に含まれる座標であるか否かを判定する。ステップ１５８の判定が肯定された場合、ステップ１６０で簡易ロック状態を解除して通常状態に移行し、ディスプレイ７２をオン状態に切り替え、簡易ロック状態制御処理を終了する。なお、図８は、特定領域及び準特定領域を説明する図であり、理解を容易にするため、グリッド及び特定領域及び準特定領域として登録されている領域を表示している。しかしながら、簡易ロック状態ではディスプレイ７２はオフ状態であり、グリッドも表示されない。
【００４７】
一方、ステップ１５８で、判定が否定された場合、ステップ１５９で座標Ｐが準特定領域に含まれるか否かを判定する。ステップ１５９の判定が肯定された場合、制御をステップ１５４に戻す。変数Ｃの値は増分しない。
【００４８】
ステップ１５９の判定が否定された場合、ステップ１６２で変数Ｃの値を１増分する。
【００４９】
本開示の技術では、準特定領域をｂ０４、ｂ０５、ｂ０６、ｃ０４、ｃ０６、ｄ０４、ｄ０５、ｄ０６とした。しかし、本開示の技術はこれに限定されない。準特定領域は、さらに、例えば、ｂ０３、ｃ０３、ｄ０３を含んでもよい。また、本開示の技術では、準特定領域が特定領域を囲むものとしたが、本開示の技術はこれに限定されない。準特定領域は、特定領域に隣接する領域、例えば、ｂ０４、ｃ０４、ｄ０４であってもよい。
【００５０】
上記では、特定領域を囲む準特定領域の幅をグリッド１個としているが、本開示の技術はこれに限定されず、例えば、準特定領域の幅を、グリッド０．５個、１．５個などに設定してもよい。
【００５１】
本開示の技術では、予め記憶されている特定領域に対する接触操作を検出することにより、簡易ロック状態を解除することが可能である。したがって、ロック状態を解除する場合と比較して、簡易ロック状態を解除する操作に対するユーザの負荷は軽減されるが、特定領域を知らない第三者にとってはスリープ状態と比較して解除が困難である。本開示の技術によれば、ロック状態より解除の負荷が軽減され、かつ、保護機能を損なわない簡易ロック状態が提供されるため、ユーザによる保護機能の利用が促進される。比較的短い時間（例えば、１５秒）以上、ユーザによる操作がタッチパネル７４によって検出されない場合、簡易ロック状態に移行するように設定することへの障壁が低くなるためである。
【００５２】
さらに、本開示の技術では、簡易ロック状態に移行してから所定の時間が経過した場合、もしくは、所定の回数より多い回数、特定領域以外の領域に接触操作が行われた場合にはロック状態に移行する。これにより、保護機能を強化することが可能となる。
【００５３】
また、さらに、本開示の技術では、特定領域を囲む準特定領域に接触操作を行った場合、特定領域とは異なる領域に接触操作を行った回数として計数しない。これにより、特定領域の位置についてのユーザの記憶が曖昧である場合、特定領域の近辺で接触操作を行うであろうユーザが簡易ロック状態の解除に失敗し、ロック状態に移行してしまう可能性を低減することができる。これにより、ユーザの負荷をさらに低減することが可能となる。
【００５４】
[第３実施形態]
第３実施形態では、上記第１実施形態及び第１実施形態で説明した構成要素については、同一の参照符号を付し、説明を省略する。
【００５５】
ＣＰＵ６０が簡易ロック状態制御プログラム６６Ａを実行することで、スマートデバイス１０によって行われる簡易ロック状態制御処理の第３実施形態について、図９を参照して説明する。
【００５６】
第３実施形態では、簡易ロック状態解除テーブル６８に予め登録されている簡易ロック状態を解除するための特定領域が単一ではなく、一例として図１０に示すように、第１特定領域ｃ０５及び第２特定領域ｇ０２の２つである点が、第１実施形態と異なる。第１特定領域ｃ０５及び第２特定領域ｇ０２の双方でユーザのタップが検出された場合に、簡易ロック状態を解除する。
【００５７】
所定時間以上、タッチパネルディスプレイ７０でユーザによる操作が検出されない場合、簡易ロック機能が作動し、簡易ロック状態に移行して、ディスプレイ７２をオフ状態に移行すると、図９に例示する簡易ロック状態制御処理が開始される。
【００５８】
ステップ１７２で、変数Ｃ及び変数Ｔに「０」を設定する。変数Ｃは、第１特定領域ｃ０５及び第２特定領域ｇ０２以外の領域がタップされた回数を計数するために使用する。変数Ｔは、第１特定領域のタップが検出済みであるか否かを判定するために使用する。
【００５９】
ステップ１７４で、タッチパネルディスプレイ７０でユーザのタップを検出したか否かを判定する。判定が否定された場合、ステップ１８８で、変数Ｔが「０」であるか否か判定する。変数Ｔが「０」である場合とは、まだ、第１特定領域ｃ０５でユーザのタップが検出されていない場合である、この場合、ステップ１９０でタイマー２２によって計測されている簡易ロック状態となってからの時間である第１の所定時間が経過したか否かを判定する。
【００６０】
ステップ１９０の判定が否定された場合、制御をステップ１７４に戻す。
【００６１】
ステップ１９０で判定が肯定された場合、すなわち、まだ、ユーザの第１特定領域ｃ０５のタップが検出されていない場合に、タイマー２２で計測される第１の所定時間が経過した場合、ステップ１９２でロック状態に移行する。
【００６２】
ステップ１７４の判定が肯定されると、ステップ１７６で、ユーザがタップしたタッチパネルディスプレイ７０の位置の座標Ｐを取得する。
【００６３】
ステップ１７８で、変数Ｔが「０」であるか否か判定する。変数Ｔが「０」である場合、すなわち、まだ、第１特定領域ｃ０５でユーザのタップが検出されていない場合、ステップ１８０で、座標Ｐが、第１特定領域ｃ０５の内部に含まれる座標であるか否かを判定する。ステップ１８０の判定が肯定された場合、ステップ１８２で、変数Ｔを１増分し、変数Ｃに「０」を設定し、制御をステップ１７４に戻す。
【００６４】
ステップ１８０で判定が否定された場合、すなわち、第１特定領域ｃ０５以外の領域でユーザのタップが検出された場合、ステップ２００で、変数Ｃの値を１増分する。ステップ１８４で変数Ｃの値が所定の閾値Ｎを越えているか否か判定し、判定が否定された場合、処理をステップ１７４に戻す。
【００６５】
ステップ１８４で判定が肯定された場合、所定の閾値Ｎを越えて、第１特定領域ｃ０５以外の領域がタップされた、ということであるため、ステップ１８６でロック状態に移行する。
【００６６】
一方、ステップ１７８で判定が否定された場合、すなわち、変数Ｔが「１」である場合は、第１特定領域ｃ０５でユーザのタップがすでに検出されている、ということである。したがって、ステップ１９６で、座標Ｐが第２特定領域ｇ０２の内部に含まれる座標であるか否かを判定する。判定が肯定された場合、第１特定領域ｃ０５及び第２特定領域ｇ０２の両方でユーザのタップが検出された、ということであるから、ステップ１９８で通常状態に移行し、ディスプレイ７２もオン状態に移行して。簡易ロック状態制御処理を終了する。
【００６７】
一方、ステップ１９６で判定が否定された場合、すなわち、第２特定領域ｇ０２以外の領域でユーザのタップが検出された場合、変数Ｃの値を１増分する。ステップ１８４で変数Ｃの値が所定の閾値Ｎを越えているか否か判定し、判定が否定された場合、処理をステップ１７４に戻す。
【００６８】
ステップ１８４で判定が肯定された場合、所定の閾値Ｎを越えて、第２特定領域ｇ０２以外の領域がタップされた、ということであるから、ステップ１８６でロック状態に移行する。
【００６９】
ステップ１８８では、上記したように、変数Ｔが「０」であるか否か判定する。判定が否定された場合、すなわち、変数Ｔが「１」である場合とは、第１特定領域ｃ０５で既にユーザのタップが検出されている場合である。この場合、ステップ１９４でタイマー２２によって計測されている第１特定領域ｃ０５がタップされてから第２の所定時間が経過したか否かを判定する。第２の所定時間は、例えば、第１の所定時間よりも短い時間を設定することができる。
【００７０】
ステップ１９４の判定が否定された場合、制御をステップ１７４に戻す。ステップ１９４の判定が肯定された場合、ステップ１９２でロック状態に移行する。
【００７１】
上記では、第１特定領域ｃ０５及び第２特定領域ｇ０２の２つの特定領域を設定したが、本開示の技術はこれに限定されない。３つ以上の特定領域を設定してもよい。
【００７２】
上記では、第１特定領域ｃ０５でユーザのタップを検出した後、第２特定領域ｇ０２でユーザのタップを検出するようにしたが、本開示の技術はこれに限定されない。２つ以上の特定領域がある場合、順不同で、全ての特定領域でのユーザのタップを検出した場合に、簡易ロック状態を解除するようにしてもよい。また、２つ以上の特定領域で同時にタップを検出した場合にのみ、簡易ロック状態を解除するようにしてもよい。
【００７３】
２つ以上の特定領域を設定する場合、一例として図３に示す上記特定領域登録処理において、ステップ２０４〜ステップ２１８を特定領域の数だけ繰り返すことによって、簡易ロック状態解除テーブル６８に２つ以上の特定領域を設定する。
【００７４】
第３実施形態に第２実施形態を適用してもよい。すなわち、第１特定領域を囲む第１準特定領域でユーザのタップを検出した場合、もしくは、第２特定領域を囲む第２準特定領域でユーザのタップを検出した場合、ステップ２００で変数Ｃの値を増分しないようにしてもよい。すなわち、特定領域以外の領域をタップした回数として計測しないようにしてもよい。
【００７５】
第１〜第３実施形態において、図５、図７、図９に例示する簡易ロック状態制御処理は、スマートデバイス１０が簡易ロック状態に移行し、ディスプレイ７２の電源がオフ状態で行われる。しかし、本開示の技術はこれに限定されない。例えば、本開示の技術をパーソナルコンピュータに適用する場合、ＥＮＴＥＲキーなどのハードキーを押下することによって、ディスプレイの電源をオン状態として開始するようにしてもよい。パーソナルコンピュータに本開示の技術を適用する場合、タッチパネルディスプレイ７０でユーザのタップを検出することに代えて、ディスプレイの特定領域でマウスのクリックを検出するようにしてもよい。
【００７６】
第１〜第３実施形態において、図５、図７、図９に例示する簡易ロック状態制御処理は、スマートデバイス１０が簡易ロック状態に移行し、ディスプレイ７２の電源がオフ状態で行われる。しかし、本開示の技術はこれに限定されない。例えば、タッチパネルディスプレイ７０でユーザの接触操作を検出することにより、まず、ディスプレイ７２の電源をオン状態に移行してもよい。この場合、ディスプレイ７２に単一の色を表示してもよいし、任意の画像（例えば、フォト、イラストなど）を表示してもよい。任意の画像を表示する場合、特定領域とは全く関係のない画像を表示してもよいし、特定領域のヒントとなる画像を表示してもよい。もしくは、ディスプレイ７２に、特定領域登録処理の際に表示したグリッドを表示してもよい。
【００７７】
本開示の技術では、予め記憶されている特定領域に対する接触操作を検出することにより、簡易ロック状態を解除することが可能である。したがって、ロック状態を解除する場合と比較して、簡易ロック状態を解除する操作に対するユーザの負荷は軽減されるが、特定領域を知らない第三者にとってはスリープ状態と比較して解除が困難である。本開示の技術によれば、ロック状態より解除の負荷が軽減され、かつ、保護機能を損なわない簡易ロック状態が提供されるため、ユーザによる保護機能の利用が促進される。比較的短い時間（例えば、１５秒）以上、ユーザによる操作がタッチパネル７４によって検出されない場合、簡易ロック状態に移行するように設定することへの障壁が低くなるためである。
【００７８】
さらに、本開示の技術では、簡易ロック状態に移行してから所定の時間が経過した場合、もしくは、所定の回数より多い回数、特定領域以外の領域に接触操作が行われた場合にはロック状態に移行する。これにより、保護機能を強化することが可能となる。
【００７９】
また、さらに、複数の特定領域を設定することによって、例えば、偶然行われた特定領域での接触操作を検出することにより、簡易ロック状態が解除されてしまう虞を低減することが可能となるため、保護機能をさらに強化することが可能となる。
【００８０】
以上の実施形態に関し、更に以下の付記を開示する。
【００８１】
（付記１）
操作者の接触操作の位置を検出する接触領域を備え、ユーザによって特定された前記接触領域の一部の特定領域を示す情報が記憶部に記憶された検出部と、
解除する場合の負荷がロック状態より軽減された簡易ロック状態において、前記検出部で検出された前記接触領域に対する操作者の接触操作の位置が前記記憶部に情報が記憶された前記特定領域に含まれる場合に、前記簡易ロック状態を解除し、予め設定された設定条件を満たした状態で前記特定領域に対する操作者の接触操作が検出されなかった場合に、前記簡易ロック状態から前記ロック状態に移行するように制御する制御部と、
を含む電子機器。
【００８２】
（付記２）
前記設定条件は、前記簡易ロック状態の開始からの経過時間が所定時間以上、または前記接触領域の前記特定領域を含む領域以外の領域に対する接触操作の回数が所定回数以上である付記１に記載の電子機器。
【００８３】
（付記３）
前記特定領域を含む領域以外の領域は、前記特定領域以外の領域、または前記特定領域及び前記特定領域に隣接しかつ前記特定領域を囲む領域以外の領域である付記１または付記２に記載の電子機器。
【００８４】
（付記４）
前記制御部は、さらに、
前記簡易ロック状態において前記接触領域に重畳されている表示部をオフ状態とし、
前記簡易ロック状態が解除されると前記表示部をオン状態とする、
ように前記表示部を制御する、
付記１〜３のいずれかに記載の電子機器。
【００８５】
（付記５）
電子機器のプロセッサが、
解除する場合の負荷がロック状態より軽減された前記電子機器の簡易ロック状態において、
操作者の接触操作の位置を検出する接触領域を備え、ユーザによって特定された前記接触領域の一部の特定領域を示す情報が記憶部に記憶された検出部で検出された前記接触領域に対する操作者の接触操作の位置が前記記憶部に情報が記憶された前記特定領域に含まれる場合に、前記簡易ロック状態を解除し、
予め設定された設定条件を満たした状態で前記特定領域に対する操作者の接触操作が検出されなかった場合に、前記簡易ロック状態から前記ロック状態に移行するように制御する、
簡易ロック状態制御方法。
【００８６】
（付記６）
前記設定条件は、前記簡易ロック状態の開始からの経過時間が所定時間以上、または前記接触領域の前記特定領域を含む領域以外の領域に対する接触操作の回数が所定回数以上である付記５に記載の簡易ロック状態制御方法。
【００８７】
（付記７）
前記特定領域を含む領域以外の領域は、前記特定領域以外の領域、または前記特定領域及び前記特定領域に隣接しかつ前記特定領域を囲む領域以外の領域である付記５または付記６に記載の簡易ロック状態制御方法。
【００８８】
（付記８）
さらに、
前記簡易ロック状態において前記検出部に重畳されている表示部をオフ状態とし、
前記簡易ロック状態が解除されると前記表示部をオン状態とする、
ように前記表示部を制御する、
付記５〜７のいずれかに記載の簡易ロック状態制御方法。
【００８９】
（付記９）
コンピュータに、
解除する場合の負荷がロック状態より軽減された前記コンピュータの簡易ロック状態において、
操作者の接触操作の位置を検出する接触領域を備え、ユーザによって特定された前記接触領域の一部の特定領域を示す情報が記憶部に記憶された検出部で検出された前記接触領域に対する操作者の接触操作の位置が前記記憶部に情報が記憶された前記特定領域に含まれる場合に、前記簡易ロック状態を解除し、
予め設定された設定条件を満たした状態で前記特定領域に対する操作者の接触操作が検出されなかった場合に、前記簡易ロック状態から前記ロック状態に移行するように制御する、
ことを含む簡易ロック状態制御処理を実行させるためのプログラム。
【００９０】
（付記１０）
前記設定条件は、前記簡易ロック状態の開始からの経過時間が所定時間以上、または前記接触領域の前記特定領域を含む領域以外の領域に対する接触操作の回数が所定回数以上である付記９に記載のプログラム。
【００９１】
（付記１１）
前記特定領域を含む領域以外の領域は、前記特定領域以外の領域、または前記特定領域及び前記特定領域に隣接しかつ前記特定領域を囲む領域以外の領域である付記９または付記１０に記載のプログラム。
【００９２】
（付記１２）
さらに、
前記簡易ロック状態において前記検出部に重畳されている表示部をオフ状態とし、
前記簡易ロック状態が解除されると前記表示部をオン状態とする、
ように前記表示部を制御する、
付記９〜１１のいずれかに記載のプログラム。
【図１】
2015106301.tif 000003
【図２】
2015106301.tif 000004
【図３】
2015106301.tif 000005
【図４Ａ】
2015106301.tif 000006
【図４Ｂ】
2015106301.tif 000007
【図４Ｃ】
2015106301.tif 000008
【図４Ｄ】
2015106301.tif 000009
【図５】
2015106301.tif 000010
【図６】
2015106301.tif 000011
【図７】
2015106301.tif 000012
【図８】
2015106301.tif 000013
【図９】
2015106301.tif 000014
【図１０】
2015106301.tif 000015